(57)【要約】    【課題】靴ひもを使用しながら、なおかつ、誰でも簡単に靴を履いたり脱いだりすることができるような取付補助具を提供する。    【解決手段】  靴ひも側と靴側にそれぞれ位置する一対の靴ひもの取付補助具（１）である。靴ひも側の取付補助具（２）は、基板（２１）と、基板の下部に取り付けられた接合部（２２）からなり、前記基板（２１）は、本体（２３）と靴ひも固定部（２４）とを有する。靴側の取付補助具（３）は、基板（３１）と、基板の上部に取り付けられた接合部（３２）からなり、前記基板（３１）は、本体（３３）と靴固定部（３４）とを有する。靴ひも側の本体（２３）と靴ひも固定部（２４）及び靴側の本体（３３）と靴固定部（３４）は一体成形するのが好ましい。【選択図】  図２
2005279015.tif 000002
【特許請求の範囲】
【請求項１】
靴ひも側と靴側にそれぞれ位置する一対の靴ひもの取付補助具（１）であって、
靴ひも側の取付補助具（２）は、基板（２１）と、基板の下部に取り付けられた接合部（２２）からなり、前記基板（２１）は、本体（２３）と靴ひも固定部（２４）とを有し、
靴側の取付補助具（３）は、基板（３１）と、基板の上部に取り付けられた接合部（３２）からなり、前記基板（３１）は、本体（３３）と靴固定部（３４）とを有することを特徴とする靴ひもの取付補助具。
【請求項２】
靴ひも側の本体（２３）と靴ひも固定部（２４）が一体成形されている請求項１記載の靴ひもの取付補助具。
【請求項３】
靴側の本体（３３）と靴固定部（３４）が一体成形されている請求項１又は２記載の靴ひもの取付補助具。
【請求項４】
靴ひも側と靴側の接合部（２２，３２）が面ファスナである請求項１ないし３のいずれかに記載の靴ひもの取付補助具。
【請求項５】
靴ひも側の本体（２３）には指つかみ部（２５）が形成されている請求項１ないし４のいずれかに記載の靴ひもの取付補助具。
【請求項６】
靴側の靴固定部（３４）が本体（３３）から下方に伸びる抜け止め（３５）付きの脚部（３４）である請求項１ないし５のいずれかに記載の靴ひもの取付補助具。
【請求項７】
靴ひも側の取付補助具（２）は右足用と左足用に左右対称のものが用意されている請求項１ないし６のいずれかに記載の靴ひもの取付補助具。
【発明の詳細な説明】
【技術分野】
【０００１】
本発明は靴ひもの取付補助具に関する。
【背景技術】
【０００２】
運動靴や革靴の多くは靴ひもで靴を足に固定している。日本では家屋内で靴を脱ぐ習慣があるので、玄関で靴ひもを何度もゆるめたり締めたりするか又は靴ひもをゆるめることなく靴べらなどを使って足を押し込んでいる。靴ひもや靴べらの取り扱いは、壮健な人でも相当に面倒な作業であるが、幼児、老人、肥満者、身体障害者などにとっては非常に困難で、場合によれば危険な作業でもある。例えば、老人の場合は、脚力や視力が十分でないことがあり、足下がふらついて転倒することがある。肥満者は前屈みになるだけで、体の重心が不安定となり、やはり足下がふらついて転倒することがある。幼児や身体障害者は、身体の動きが十分でないことが多く、靴ひもをほどいたり結んだり、又は靴べらを使うような手先の器用さが要求される作業が困難なことが多い。
【０００３】
これを避けるために靴ひもを使用しないタイプの革靴が普及しているし、運動靴などでは面ファスナで開閉するタイプもある。しかし、靴ひもを使用しない革靴はデザイン的に見栄えがせず冠婚葬祭などでは略式と見なされているし、運動靴などでも靴ひもで固定する方が安定しているので好まれる。
【発明の開示】
【発明が解決しようとする課題】
【０００４】
本発明は、靴ひもを使用しながら、なおかつ、誰でも簡単に靴を履いたり脱いだりすることができるような取付補助具を提供することを目的とする。
【課題を解決するための手段】
【０００５】
本発明は、靴ひも側と靴側にそれぞれ位置する一対の靴ひもの取付補助具であって、靴ひも側の取付補助具は、基板と、基板の下部に取り付けられた接合部からなり、前記基板は、本体と靴ひも固定部とを有し、靴側の取付補助具は、基板と、基板の上部に取り付けられた接合部からなり、前記基板は、本体と靴固定部とを有することを特徴とする。
【発明の効果】
【０００６】
本発明の靴ひもの取付補助具は、見かけは靴ひもであるが、実際は面ファスナ等の接合具による接合である。したがって、靴ひもの優美な外観と面ファスナ等の取付容易性の二面を併せ持つこととなる。その結果、壮健な人はもちろん、幼児、老人、肥満者、身体障害者などでも簡単に靴ひも付きの靴を履いたり脱いだりすることができる。
【０００７】
さらに本発明の靴ひもの取付補助具は、装着状態で工場出荷することができるだけでなく、購入後に消費者が後から装着することもできるので、古い靴も活用することができ、経済的である。
【発明を実施するための最良の形態】
【０００８】
靴ひも側と靴側の基板はプラスチックで形成するのが好ましい。靴ひも側の本体と靴ひも固定部は一体成形するのが好ましい。また、靴側の本体と靴固定部も一体成形するのが好ましい。
【０００９】
靴ひも側と靴側の接合部は、面ファスナが最も好ましいが、そのほか、ボタンやスライドファスナであってもよい。面ファスナとしては、雌雄いずれか又は雌雄混在型を使用することができる。
【００１０】
靴ひも側の靴ひも固定部は、３〜６個程度の開口とすることができる。靴ひもを通すことのできる大きさがあれば十分である。
【００１１】
さらに、靴ひも側の本体には指つかみ部を形成しておくことが好ましい。
【００１２】
靴側の靴固定部は、例えば本体から下方に伸びる脚部とすることができる。この脚部は靴のハトメ孔に差し込んで靴と固定させる。脚部の先端には抜け止めを形成しておくことが好ましい。
【００１３】
靴ひも側の靴ひも固定部や指つかみ部は左右対称にあった方がよいので、右足用及び左足用に対称のものを用意しておくことが好ましい。
【実施例１】
【００１４】
以下、添付の図面に基づき、本発明の実施例を説明する。
【００１５】
図１は、本発明の実施例に係る取付補助具１を使用して靴の開閉部を閉じている状態の斜視図であり、図２は、開いている状態の斜視図である。これらの図面から理解されるように、本発明では、靴ひもの一部を予め固定した取付補助具１を使用する。
【００１６】
本発明の取付補助具１は、靴ひも側２と靴側３に取り付けられて一対となる。
【００１７】
図３は、靴ひも側の取付補助具２であり、（ａ）は正面図、（ｂ）は左側面図、（ｃ）は平面図である。図面に示すように、プラスチック板からなる基板２１と、基板の下部に取り付けられた面ファスナ２２の二層からなる。
【００１８】
基板２１は、本体２３と、靴ひも固定部２４と、指つかみ部２５とからなり、プラスチックで一体成形されている。本体２３は、幅1.5cm、長さ7cmの長方形である。靴ひも固定部２４は、中をくりぬいた四角形の枠が４個並び、それぞれは架橋部２６によりつながっている。つかみ部２５は、靴を着用する人が指でつかむ部分であり、目立たないようにするために基板から約５０°の角度を以て靴側に傾斜している。
【００１９】
面ファスナ２２は、雌雄いずれか又は雌雄混在型を使用することができる。基板２１と、面ファスナ２２の間は接着剤又は縫着により接合する。
【００２０】
図４は、靴側の取付補助具３であり、（ａ）は正面図、（ｂ）は左側面図、（ｃ）は平面図である。図面に示すように、プラスチック板からなる基板３１と、基板の上部に取り付けられた面ファスナ３２の二層からなる。
【００２１】
基板３１は、本体３３と脚部３４からなる。本体は、幅1.5cm、長さ7cmの長方形である。脚部３４は、本体３３から下方に向かって伸びており、この実施例では２本形成されている。それぞれ先端に抜け止め部３５が形成されている。この脚部は図５に示すように、靴のひも挿通用ハトメ４に差し込んで、靴に固定する。いったん固定した後では、抜け止め部３５がハトメと接触して容易に抜けることはない。
【００２２】
面ファスナ３２は、靴ひも側の取付補助具に対応する雌雄いずれか又は雌雄混在型を使用することができる。基板３１と、面ファスナ３２の間は接着剤又は縫着により接合する。
【００２３】
本発明の取付補助具の使用法を説明する。まず、靴ひもを取り付けていない状態で、靴側の取付補助具３を靴に固定する。前記したように、脚部３４を靴のハトメ孔４に挿通するだけでよい。続いて、靴ひもを取り付けていない状態で、靴ひも側の取付補助具２の接合部２２と靴側の取付補助具３の接合部３２を接合させる。その後、図１，２に示すように、靴開閉部の下側左右各２個のハトメ孔４だけでなく、上側左右各４個のハトメ孔４に相当する位置の取付補助具の靴ひも固定部２４の四角孔に靴ひも５を取り付けて完成である。
【００２４】
使用時には、一対の取付補助具の面ファスナを接合させたり、離したりするだけでよい。取付補助具にはある程度の幅があるので、その幅の範囲内で、締まり程度を調節することができる。
【００２５】
なお、靴ひも側の靴ひも固定部や指つかみ部は左右対称にあった方がよいので、左足用に対称のものを用意しておくことが好ましい（図示省略）。
【図面の簡単な説明】
【００２６】
【図１】本発明の実施例に係る取付補助具１を使用して靴の開閉部を閉じている状態の斜視図である。
【図２】本発明の実施例に係る取付補助具１を使用して靴の開閉部を開いている状態の斜視図である。
【図３】靴ひも側の取付補助具２であり、（ａ）は正面図、（ｂ）は左側面図、（ｃ）は平面図である。
【図４】靴側の取付補助具３であり、（ａ）は正面図、（ｂ）は左側面図、（ｃ）は平面図である。
【図５】図１の５−５断面図である。
【符号の説明】
【００２７】
１     取付補助具
２     靴ひも側の取付補助具
２１   基板
２２   面ファスナ
２３   本体
２４   靴ひも固定部
２５   指つかみ部
３     靴側の取付補助具
３１   基板
３２   面ファスナ
３３   本体
３４   脚部
３５   抜け止め部
４     ハトメ孔
５     靴ひも
【図１】
2005279015.tif 000003
【図２】
2005279015.tif 000004
【図３】
2005279015.tif 000005
【図４】
2005279015.tif 000006
【図５】
2005279015.tif 000007